【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
形態文字がアレンジされて単語を形成するとその単語はその意味する物体の形状を提供することを特徴とする装置。
【請求項２】
形態文字は漢字、平仮名、片仮名、及び単語を形成するために使用される他の文字から成る群から選択されることを特徴とする請求項１記載の装置。
【請求項３】
形成される形状は、動物、植物、乗物、住居、像、漫画キャラクター、及び物体で成る群から選択されることを特徴とする請求項２記載の装置。
【請求項４】
形態文字のセットは基体上に形成されることを特徴とする請求項３記載の装置。
【請求項５】
形態文字セット内の少なくとも２つの形態文字が互いに着脱式に連結されるよう、形態文字と連結する連結手段をさらに含んでいることを特徴とする請求項４記載の装置。
【請求項６】
連結手段は磁石、錠形状体、ベルクロ面ファスナー、スナップ留具、及びジッパーから成る群から選択されることを特徴とする請求項５記載の装置。
【請求項７】
形態文字セット内の少なくとも１つの形態文字に接続された音声アクチュエータと、該音声アクチュエータに操作式に接続され、録音音声を再生させる起動器とをさらに含んでいることを特徴とする請求項６記載の装置。
【請求項８】
録音音声は少なくとも１つの形態文字の発音と対応することを特徴とする請求項７記載の装置。
【請求項９】
形態文字がアレンジされて単語を形成すると、起動器が音声録音再生手段を起動し、その録音音声はその単語の発音、その単語が表す物体の特徴を表す音声、及びテーマソングから成る群から選択されることを特徴とする請求項８記載の装置。
【請求項１０】
形態文字セット内の少なくとも１つの形態文字に接続された音声アクチュエータと、該音声アクチュエータに操作式に接続され、録音音声を再生させる起動器とをさらに含んでいることを特徴とする請求項１記載の装置。
【請求項１１】
録音音声は少なくとも１つの形態文字の発音と対応することを特徴とする請求項１０記載の装置。
【請求項１２】
形態文字がアレンジされて単語を形成すると、起動器が音声録音再生手段を起動し、その録音音声はその単語の発音、単語が表す物体の特徴を表す音声、及びテーマソングから成る群から選択されることを特徴とする請求項１０記載の装置。
【請求項１３】
形態文字セットは基体上に形成されることを特徴とする請求項１記載の装置。
【請求項１４】
形態文字セット内の少なくとも２つの形態文字が互いに着脱式に連結されるよう、形態文字を連結する連結手段をさらに含んでいることを特徴とする請求項１記載の装置。
【請求項１５】
連結手段は、磁石、錠形状体、ベルクロ面ファスナー、スナップ留具、及びジッパーから成る群から選択されることを特徴とする請求項１４記載の装置。
【請求項１６】
形成される形状は、動物、植物、乗物、住居、像、漫画キャラクター、及び物体で成る群から選択されることを特徴とする請求項１記載の装置。
【請求項１７】
形態文字を形成する方法であって、本方法は、
複数の形態文字がアレンジされて単語が形成されたとき、その単語はその単語が意味する物体の形状を形成し、特定形状で複数の形態文字を形成するステップを含んでいることを特徴とする方法。
【請求項１８】
形態文字は、漢字、平仮名、片仮名及び単語を形成するために使用される他の文字等から成る群から選択されることを特徴とする請求項１７記載の形態文字を形成する方法。
【請求項１９】
形状は動物、植物、乗物、住居、漫画キャラクター、及び物体から成る群から選択されることを特徴とする請求項１８記載の形態文字を形成する方法。
【請求項２０】
形状は動物、植物、乗物、住居、漫画キャラクター、及び物体から成る群から選択されることを特徴とする請求項１７記載の形態文字を形成する方法。
【請求項２１】
単語を形成するための形態文字を使用する方法であって、本方法は、
複数の形態文字がアレンジされて単語が形成されたとき、その単語はその単語が意味する物体の形状を形成し、複数の形態文字で特定形状を形成することによって単語物を形成するステップを含んでいることを特徴とする形態文字を使用する方法。
【請求項２２】
形態文字は、漢字、平仮名、片仮名、及び単語を形成するために使用される他の文字等から成る群から選択されるステップをさらに含んでいることを特徴とする請求項２１記載の方法。
【請求項２３】
形状は動物、植物、乗物、住居、漫画キャラクター、及び物体から成る群から選択されることを特徴とする請求項２２記載の方法。
【請求項２４】
少なくとも１つの単語物が存在する架空環境である単語世界エピソードを創出するステップをさらに含んでいることを特徴とする請求項２３記載の方法。
【請求項２５】
エピソードは出来事に関連して語られ、それ自体で一貫したストーリーを構築することを特徴とする請求項２４記載の方法。
【請求項２６】
エピソードは、テレビショーのストーリー、本のストーリー、コンピュータゲームのストーリー、パズル絵入りストーリー、及びインターネットベースのインタラクティブウェブサイトストーリーから成る群から選択されるフォーマットで創出されることを特徴とする請求項２５記載の方法。
【請求項２７】
単語物の意味を理解させる手助けとなる視覚的ヒントと説明を創出するステップをさらに含んでいることを特徴とする請求項２６記載の方法。
【請求項２８】
エピソードは、単語物が漫画化された物体の形状で提供されるアニメーションであることを特徴とする請求項２７記載の方法。
【請求項２９】
単語世界エピソードを創出するステップは、該エピソード内で問題を発生させ、単語物に相互作用させて問題を解かせるステップをさらに含んでいることを特徴とする請求項２８記載の方法。
【請求項３０】
単語世界エピソードを創出するステップは、ユーザーに文字を発音させて問題の解決を手助けするステップをさらに含んでいることを特徴とする請求項２９記載の方法。
【請求項３１】
単語物が単語を構築並びに再構築して問題を解くことを特徴とする請求項３０記載の方法。
【請求項３２】
エピソードは所定の時間だけ提供され、該所定の時間とは略１分から略３０分であることを特徴とする請求項３１記載の方法。
【請求項３３】
単語世界エピソードを創出するステップは、ユーザーが確実に精通するようにエピソードを通して強調される“スペシャル単語”を発生させるステップをさらに含んでいることを特徴とする請求項３２記載の方法。
【請求項３４】
単語世界エピソードを創出するステップは、各エピソード終了時にカラオケタイプのテロップを流し、該テロップ内で強調されるキーワードをユーザーに再確認させる機会を提供するステップをさらに含んでいることを特徴とする請求項３３記載の方法。
【請求項３５】
単語世界エピソードを創出するステップは、単語物が合体、連結、分離され、新語を生み出すように足したり引いたりする筋書きを提供するステップをさらに含んでいることを特徴とする請求項３４記載の方法。
【請求項３６】
単語世界エピソードを創出するステップは、文字音の組み合わせをユーザーに繰り返させるステップをさらに含んでいることを特徴とする請求項３５記載の方法。
【請求項３７】
単語世界エピソードを記録するステップをさらに含んでいることを特徴とする請求項３６記載の方法。
【請求項３８】
単語世界エピソードを放送するステップをさらに含んでいることを特徴とする請求項３７記載の方法。
【請求項３９】
単語世界エピソードの創出ステップは、“単語を造ろう”歌を提供するステップをさらに含んでおり、前記歌は該歌が歌われる特定のエピソードの内容と対応することを特徴とする請求項３８記載の方法。
【請求項４０】
少なくとも１つの単語物が存在する架空環境である単語世界エピソードを創出するステップを含んでいることを特徴とする請求項２１記載の方法。
【請求項４１】
エピソードは、出来事に関連して語られ、それ自体で一貫したストーリーを構築することを特徴とする請求項４０記載の方法。
【請求項４２】
エピソードは、テレビショーのストーリー、本のストーリー、コンピュータゲームのストーリー、パズル絵入りストーリー、及びインターネットベースのインタラクティブウェブサイトストーリーから成る群から選択されるフォーマットで創出されることを特徴とする請求項４０記載の方法。
【請求項４３】
エピソードは、単語物が漫画化された物体の形状で提供されるアニメーションであることを特徴とする請求項４０記載の方法。
【請求項４４】
単語世界エピソードを創出するステップは、該エピソード内で問題を発生させ、単語物に相互作用させて問題を解かせるステップをさらに含んでいることを特徴とする請求項４０記載の方法。
【請求項４５】
単語世界エピソードを創出するステップは、ユーザーに文字を発音させて問題の解決を手助けするステップをさらに含んでいることを特徴とする請求項４４記載の方法。
【請求項４６】
単語物が単語を構築並びに再構築して問題を解くステップを含んでいることを特徴とする請求項４４記載の方法。
【請求項４７】
エピソードは所定の時間だけ提供され、該所定の時間とは略１分から略３０分であることを特徴とする請求項４０記載の方法。
【請求項４８】
単語世界エピソードを創出するステップは、ユーザーが確実に精通するようにエピソードを通して強調される“スペシャル単語”を発生させるステップをさらに含んでいることを特徴とする請求項４０記載の方法。
【請求項４９】
単語世界エピソードを創出するステップは、各エピソード終了時にカラオケタイプのテロップを流し、該テロップ内で強調されるキーワードをユーザーに再確認させる機会を提供するステップをさらに含んでいることを特徴とする請求項４０記載の方法。
【請求項５０】
単語世界エピソードを創出するステップは、単語物が合体、連結、分離され、新語を生み出すように足したり引いたりする筋書きを創出するステップをさらに含んでいることを特徴とする請求項４０記載の方法。
【請求項５１】
単語世界エピソードを創出するステップは、文字音の組み合わせをユーザーに繰り返させるステップをさらに含んでいることを特徴とする請求項４０記載の方法。
【請求項５２】
単語世界エピソードを記録するステップをさらに含んでいることを特徴とする請求項４０記載の方法。
【請求項５３】
単語世界エピソードを放送するステップをさらに含んでいることを特徴とする請求項４０記載の方法。
【請求項５４】
単語世界エピソードの創出ステップは、“単語を造ろう”歌を提供するステップをさらに含んでおり、前記歌は該歌が歌われる特定のエピソードの内容と対応することを特徴とする請求項４０記載の方法。
【請求項５５】
単語物の意味を理解させる手助けとなる視覚的ヒントと説明を創出するステップをさらに含んでいることを特徴とする請求項２１記載の方法。
【請求項５６】
形状は動物、植物、乗物、住居、漫画キャラクター、及び物体から成る群から選択されることを特徴とする請求項２１記載の方法。
【請求項５７】
形態文字を操作するデータ処理システムであって、
本システムは、入力、出力及びメモリーを有するプロセッサを含んでおり、
該プロセッサは前記入力からユーザー入力を受領して前記メモリーからのデータ並びにユーザーからの入力を処理するように提供されており、
前記データは、形態文字がアレンジされて単語が形成された時にその単語はその単語が意味する物体の形状を形成するような複数の形態文字から成る単語物を含んでおり、
前記ユーザー入力に基づくデータの処理ステップでは、前記プロセッサは、ユーザーが前記単語物の視覚的表示を操作できるように前記単語物の前表示を発生させ、前記出力は、前記単語物の映像を受領し、該映像を表示装置で表示するために送信するよう前記プロセッサと接続されており、ユーザーに単語物を提示し、その単語が意味する物体の形状を形成するようにその単語を再構築させることを特徴とするシステム。
【請求項５８】
入力はインターネットでアクセス可能であり、ユーザーにインターネット上でシステムと関連させることを特徴とする請求項５７記載のシステム。
【請求項５９】
プロセッサは、解答可能な問題を発生させ、形態文字を動かしてユーザーに解答可能な問題を解かせるためのコンピュータインストラクションをさらに含んでいることを特徴とする請求項５８記載のシステム。
【請求項６０】
形態文字は漢字、平仮名、片仮名、及び単語を形成するために使用される他の文字から成る群から選択されることを特徴とする請求項５９記載のシステム。
【請求項６１】
単語物は、動物、植物、乗物、住居、像、漫画キャラクター、及び物体で成る群から選択されることを特徴とする請求項６０記載の装置。
【請求項６２】
プロセッサは、少なくとも１つの単語物が存在する架空環境である単語世界を創出させるためのコンピュータインストラクションをさらに含んでいることを特徴とする請求項６１記載のシステム。
【請求項６３】
単語世界は、出来事に関連して語られ、それ自体で一貫したストーリーを構築する単語世界エピソードとして創出されることを特徴とする請求項６２記載のシステム。
【請求項６４】
単語世界エピソードはインターネットベースのインターアクティブウェブサイトストーリーとして創出されることを特徴とする請求項６３記載のシステム。
【請求項６５】
プロセッサは、単語物の意味を理解させる手助けとなる視覚的ヒントと説明を創出させるためのコンピュータインストラクションをさらに含んでいることを特徴とする請求項６４記載のシステム。
【請求項６６】
プロセッサは、エピソード内で問題を発生させ、単語物に相互作用させて問題を解かせるためのコンピュータインストラクションをさらに含んでいることを特徴とする請求項６５記載のシステム。
【請求項６７】
プロセッサは、ユーザーに文字を発音させて問題の解決を手助けするコンピュータインストラクションをさらに含んでいることを特徴とする請求項６６記載の方法。
【請求項６８】
プロセッサは、問題を解くためにユーザーに単語を構築並びに再構築させるためのコンピュータインストラクションをさらに含んでいることを特徴とする請求項６７記載のシステム。
【請求項６９】
プロセッサは、ユーザーが確実に精通するようにエピソードを通して強調される“スペシャル単語”を発生させるためのコンピュータインストラクションをさらに含んでいることを特徴とする請求項６８記載のシステム。
【請求項７０】
プロセッサは、各エピソード終了時にカラオケタイプのテロップを流し、該テロップ内で強調されるキーワードをユーザーに再確認させる機会を提供するためのコンピュータインストラクションをさらに含んでいることを特徴とする請求項６９記載のシステム。
【請求項７１】
プロセッサは、単語物が合体、連結、分離され、新語を生み出すように足したり引いたりする筋書きを創出させるコンピュータインストラクションをさらに含んでいることを特徴とする請求項７０記載のシステム。
【請求項７２】
プロセッサは、文字音の組み合わせをユーザーに繰り返させるコンピュータインストラクションをさらに含んでいることを特徴とする請求項７１記載のシステム。
【請求項７３】
プロセッサは、親、世話人及び教育者が単語世界についてさらに深く学習するための教育的な提案や情報を創出させるコンピュータインストラクションをさらに含んでいることを特徴とする請求項７２記載のシステム。
【請求項７４】
プロセッサは、“単語を造ろう”歌を創出させるコンピュータインストラクションをさらに含んでおり、前記歌は該歌が歌われる特定のエピソードの内容と対応することを特徴とする請求項７３記載のシステム。
【請求項７５】
少なくとも１つの単語物が存在する架空環境である単語世界エピソードを創出させるコンピュータインストラクションをさらに含んでいることを特徴とする請求項５７記載のシステム。
【請求項７６】
単語世界は、出来事に関連して語られ、それ自体で一貫したストーリーを構築する単語世界エピソードとして創出されることを特徴とする請求項７５記載の方法。
【請求項７７】
プロセッサは、“単語を造ろう”歌を創出させるコンピュータインストラクションをさらに含んでおり、前記歌は該歌が歌われる特定のエピソードの内容と対応することを特徴とする請求項７６記載のシステム。
【請求項７８】
単語世界エピソードはインターネットベースのインターアクティブウェブサイトストーリーとして創出されることを特徴とする請求項７６記載のシステム。
【請求項７９】
プロセッサは、ユーザーが確実に精通するようにエピソードを通して強調される“スペシャル単語”を発生させるコンピュータインストラクションをさらに含んでいることを特徴とする請求項７６記載のシステム。
【請求項８０】
プロセッサは、各エピソード終了時にカラオケタイプのテロップを流し、該テロップ内で強調されるキーワードをユーザーに再確認させる機会を提供するためのコンピュータインストラクションをさらに含んでいることを特徴とする請求項７６記載のシステム。
【請求項８１】
プロセッサは、親、世話人及び教育者が単語世界についてさらに深く学習するための教育的な提案や情報を創出させるコンピュータインストラクションをさらに含んでいることを特徴とする請求項７６記載のシステム。
【請求項８２】
プロセッサは、解答可能な問題を発生させ、形態文字を操作してユーザーに解答可能な問題を解かせるためのコンピュータインストラクションをさらに含んでいることを特徴とする請求項５７記載のシステム。
【請求項８３】
プロセッサは、ユーザーに文字を発音させて問題の解決を手助けするコンピュータインストラクションをさらに含んでいることを特徴とする請求項８２記載のシステム。
【請求項８４】
プロセッサは、問題を解くためにユーザーに単語を構築並びに再構築させるためのコンピュータインストラクションをさらに含んでいることを特徴とする請求項８２記載のシステム。
【請求項８５】
プロセッサは、単語物の意味を理解させる手助けとなる視覚的ヒントと説明を創出させるためのコンピュータインストラクションをさらに含んでいることを特徴とする請求項５７記載のシステム。
【請求項８６】
プロセッサは、単語物が合体、連結、分離され、新語を生み出すように足したり引いたりする筋書きを創出させるコンピュータインストラクションをさらに含んでいることを特徴とする請求項５７記載のシステム。
【請求項８７】
プロセッサは、文字音の組み合わせをユーザーに繰り返させるコンピュータインストラクションをさらに含んでいることを特徴とする請求項５７記載のシステム。
【請求項８８】
形態文字は漢字、平仮名、片仮名、及び単語を形成するために使用される他の文字から成る群から選択されることを特徴とする請求項５７記載のシステム。
【請求項８９】
単語物は、動物、植物、乗物、住居、像、漫画キャラクター、及び物体で成る群から選択されることを特徴とする請求項５７記載のシステム。
【請求項９０】
形態文字を形成するためのコンピュータプログラム製品であって、該コンピュータプログラム製品は、複数の形態文字から成る単語物をコンピュータに創出させるため、コンピュータ読み取り可能媒体上でコード化されたコンピュータ読み取り可能インストラクションを含んでおり、前記形態文字は、アレンジされて単語を形成するとその単語はその意味する物体の形状を提供することを特徴とするコンピュータプログラム製品。
【請求項９１】
複数の形態文字は漢字、平仮名、片仮名、及び単語を形成するために使用される他の文字から成る群から選択されることを特徴とする請求項９０記載のコンピュータプログラム製品。
【請求項９２】
形状は、動物、植物、乗物、住居、像、漫画キャラクター、及び物体で成る群から選択されることを特徴とする請求項９１記載のコンピュータプログラム製品。
【請求項９３】
単語物を形成するように形態文字を操作する手段をさらに含んでいることを特徴とする請求項９２記載のコンピュータプログラム製品。
【請求項９４】
形態文字を動かしてユーザーに解答させるための解答可能な問題を創出させる手段をさらに含んでいることを特徴とする請求項９４記載のコンピュータプログラム製品。
【請求項９５】
少なくとも１つの単語物が存在する架空環境である単語世界エピソードを創出させるための手段をさらに含んでいることを特徴とする請求項９４記載のコンピュータプログラム製品。
【請求項９６】
単語世界は、出来事に関連して語られ、それ自体で一貫したストーリーを構築する単語世界エピソードとして創出されることを特徴とする請求項９５記載のコンピュータプログラム製品。
【請求項９７】
単語物の意味を理解させる手助けとなる視覚的ヒントと説明を創出させるための手段をさらに含んでいることを特徴とする請求項９６記載のコンピュータプログラム製品。
【請求項９８】
エピソード内で問題を発生させ、単語物に相互作用させて問題を解かせる手段をさらに含んでいることを特徴とする請求項９７記載のコンピュータプログラム製品。
【請求項９９】
ユーザーに文字を発音させて問題の解決を手助けするための手段をさらに含んでいることを特徴とする請求項９８記載のコンピュータプログラム製品。
【請求項１００】
問題を解くためにユーザーに単語を構築並びに再構築させるための手段をさらに含んでいることを特徴とする請求項９９記載のコンピュータプログラム製品。
【請求項１０１】
ユーザーが確実に精通するようにエピソードを通して強調される“スペシャル単語”を発生させるための手段をさらに含んでいることを特徴とする請求項１００記載のコンピュータプログラム製品。
【請求項１０２】
各エピソード終了時にカラオケタイプのテロップを流し、該テロップ内で強調されるキーワードをユーザーに再確認させる機会を提供するための手段をさらに含んでいることを特徴とする請求項１０１記載のコンピュータプログラム製品。
【請求項１０３】
単語物が合体、連結、分離され、新語を生み出すように足したり引いたりする筋書きを創出させる手段をさらに含んでいることを特徴とする請求項１０２記載のコンピュータプログラム製品。
【請求項１０４】
文字音の組み合わせをユーザーに繰り返させる手段をさらに含んでいることを特徴とする請求項１０３記載のコンピュータプログラム製品。
【請求項１０５】
親、世話人及び教育者が単語世界についてさらに深く学習するための教育的な提案や情報を創出させる手段をさらに含んでいることを特徴とする請求項１０４記載のコンピュータプログラム製品。
【請求項１０６】
“単語を造ろう”歌を創出させる手段をさらに含んでおり、前記歌は該歌が歌われる特定のエピソードの内容と対応することを特徴とする請求項１０５記載のコンピュータプログラム製品。
【請求項１０７】
少なくとも１つの単語物が存在する架空環境である単語世界エピソードを創出させる手段をさらに含んでいることを特徴とする請求項９０記載のコンピュータプログラム製品。
【請求項１０８】
単語世界は、出来事に関連して語られ、それ自体で一貫したストーリーを構築する単語世界エピソードとして創出されることを特徴とする請求項１０７記載のコンピュータプログラム製品。
【請求項１０９】
ユーザーが確実に精通するようにエピソードを通して強調される“スペシャル単語”を発生させるための手段をさらに含んでいることを特徴とする請求項１０８記載のコンピュータプログラム製品。
【請求項１１０】
各エピソード終了時にカラオケタイプのテロップを流し、該テロップ内で強調されるキーワードをユーザーに再確認させる機会を提供するための手段をさらに含んでいることを特徴とする請求項１０８記載のコンピュータプログラム製品。
【請求項１１１】
親、世話人及び教育者が単語世界についてさらに深く学習するための教育的な提案や情報を創出させる手段をさらに含んでいることを特徴とする請求項１０８記載のコンピュータプログラム製品。
【請求項１１２】
“単語を造ろう”歌を創出させる手段をさらに含んでおり、前記歌は該歌が歌われる特定のエピソードの内容と対応することを特徴とする請求項１０８記載のコンピュータプログラム製品。
【請求項１１３】
エピソード内で問題を発生させ、単語物に相互作用させて問題を解かせるための手段をさらに含んでいることを特徴とする請求項１０８記載のコンピュータプログラム製品。
【請求項１１４】
ユーザーに文字を発音させて問題の解決を手助けする手段をさらに含んでいることを特徴とする請求項１１３記載のコンピュータプログラム製品。
【請求項１１５】
問題を解くためにユーザーに単語を構築並びに再構築させるための手段をさらに含んでいることを特徴とする請求項１１３記載のコンピュータプログラム製品。
【請求項１１６】
形状は、動物、植物、乗物、住居、像、漫画キャラクター、及び物体で成る群から選択されることを特徴とする請求項９０記載のコンピュータプログラム製品。
【請求項１１７】
単語物を形成するように形態文字を操作する手段をさらに含んでいることを特徴とする請求項９０記載のコンピュータプログラム製品。
【請求項１１８】
形態文字を動かしてユーザーに解答させるための解答可能な問題を発生させる手段をさらに含んでいることを特徴とする請求項９０記載のコンピュータプログラム製品。
【請求項１１９】
単語物の意味を理解させる手助けとなる視覚的ヒントと説明を創出させるための手段をさらに含んでいることを特徴とする請求項９０記載のコンピュータプログラム製品。
【請求項１２０】
単語物が合体、連結、分離され、新語を生み出すように足したり引いたりする筋書きを創出させる手段をさらに含んでいることを特徴とする請求項９０記載のコンピュータプログラム製品。
【請求項１２１】
文字音の組み合わせをユーザーに繰り返させる手段をさらに含んでいることを特徴とする請求項９０記載のコンピュータプログラム製品。
【請求項１２２】
単語を形成するようにアレンジされた形態文字を含んだ物体であって、該形態文字はその単語が表す物体を表す形状を形成していることを特徴とする物体。
【請求項１２３】
形態文字に基づく形状を製造する方法であって、
形態文字を含んだ単語を選択するステップと、
前記単語が表す物体を表す形状を前記形態文字が形成するように該形態文字を配置するステップと、
を含んでいることを特徴とする方法。
【請求項１２４】
視聴者に言語概念を伝達する方法であって、
形態文字を含んだ単語を選択するステップと、
前記単語が表す物体を表す形状を前記形態文字が形成するように該形態文字を配置するステップと、
前記形状を視聴者に表示するステップと、
を含んでいることを特徴とする方法。
【請求項１２５】
形態文字に基づく形状を表示するためのデータ処理システムであって、入力部、出力部およびメモリを備えたプロセッサを含んでおり、該プロセッサは前記入力部からデータを受領し、該データを前記メモリからのデータで処理し、単語を形成するようにアレンジされた形態文字を含んだ図形的物体を創出または検索して取得するように設計されており、前記形態文字は前記単語が表す物体を表す形状を形成し、前記プロセッサは視覚的表示装置で表示すべく前記図形的物体を送信するようにさらに設計されていることを特徴とするシステム。
【請求項１２６】
形態文字に基づく形状を創出して表示するコンピュータプログラム製品であって、単語を形成するようにアレンジされた形態文字を含む形態文字に基づく形状を発生させる操作をコンピュータに実行させるため、コンピュータが実行可能なコンピュータ読取可能媒体にコード化されているコンピュータ読取可能な命令を含んでいることを特徴とする製品。
【請求項１２７】
基体上に形態文字のセットを含んだ装置であって、前記形態文字は単語を形成するようにアレンジされており、該単語はその単語の意味を描出する形状の形態で表れることを特徴とする装置。
【請求項１２８】
本であることを特徴とする請求項１２７記載の装置。
【請求項１２９】
基体から形成された形態文字のセットを含んだ装置であって、該形態文字は単語を形成するようにアレンジされており、該単語はその単語の意味を描出する形状の形態で表れることを特徴とする装置。
【請求項１３０】
高級玩具であることを特徴とする請求項１２９記載の装置。
【請求項１３１】
複数の形態文字は連結具を利用して着脱可能に連結されていることを特徴とする請求項１２９記載の装置。
【請求項１３２】
連結具は磁石、錠形状体、ベルクロ面ファスナー、スナップ留具、
及びジッパーから成る群から選択されることを特徴とする請求項１３１記載の装置。
【請求項１３３】
ブロック玩具またはジグソーパズルであることを特徴とする請求項１２９記載の装置。